(57)【要約】  本開示は、移動端末の表示構造及び移動端末に関する。前記表示構造は、端末ケースと、ディスプレイスクリーン及び前記ディスプレイスクリーン上に貼り合せられたガラスパネルを有する表示ユニットとを備え、前記ガラスパネルは、タッチ領域、及び、前記タッチ領域の横方向の両側に沿って折り曲げられて延在する拡張領域を有し、前記拡張領域の外面はそれぞれ、前記端末ケースの対応するエッジと共通する面である。本開示の移動端末の表示構造は、少なくともガラスパネルを正面全体の横方向の両側に覆い、かつ、少なくともディスプレイスクリーンの横方向の両側の封止領域を折り曲げてケース内に延在させ、端末ケースによりディスプレイスクリーンの横方向の両側の封止領域を遮蔽することで、スクリーン対ボディ比を大きくすると共に、移動端末の視覚的なフレームレス設計を確実に実現させる。【選択図】図２
2017521733.tif 000002
【特許請求の範囲】
【請求項１】
端末ケースと、
ディスプレイスクリーン、及び、前記ディスプレイスクリーン上に貼り合せられたガラスパネルを有する表示ユニットと、を備え、
前記ガラスパネルは、タッチ領域と、前記タッチ領域の横方向の両側に沿って折り曲げられて延在する拡張領域とを有し、前記拡張領域の外面はそれぞれ、前記端末ケースの対応するエッジと共通する面であることを特徴とする移動端末の表示構造。
【請求項２】
前記端末ケースでの前記拡張領域の投影は、前記端末ケースでの前記タッチ領域の投影をはみださないことを特徴とする請求項１に記載の移動端末の表示構造。
【請求項３】
前記ディスプレイスクリーンは、画像を表示するための表示領域と、前記表示領域の周囲側に沿って折り曲げられて延在する封止領域とを有し、
前記端末ケースでの前記表示領域の投影と前記ケースでの前記タッチ領域の投影とのそれぞれの横方向の両側外縁間の距離が、共に前記拡張領域の厚さと等しいことを特徴とする請求項１に記載の移動端末の表示構造。
【請求項４】
前記端末ケースでの前記封止領域の投影は、前記端末ケースでの前記表示領域の投影をはみださないことを特徴とする請求項３に記載の移動端末の表示構造。
【請求項５】
前記端末ケースの横方向の両側外縁には、前記封止領域を収容するための溝が設けられていることを特徴とする請求項４に記載の移動端末の表示構造。
【請求項６】
前記ディスプレイスクリーンは、フレキシブル液晶ディスプレイスクリーンであることを特徴とする請求項１に記載の移動端末の表示構造。
【請求項７】
端末ケースと、
ディスプレイスクリーン、及び、前記ディスプレイスクリーン上に貼り合せられたガラスパネルを有する表示ユニットと、を備え、
前記ガラスパネルは、タッチ領域と、前記タッチ領域の周囲側に沿って折り曲げられて延在する拡張領域とを有し、前記拡張領域の外面はそれぞれ、前記端末ケースの対応するエッジと共通する面であることを特徴とする移動端末の表示構造。
【請求項８】
前記端末ケースでの前記タッチ領域の投影は、前記端末ケースの外縁と重なっていることを特徴とする請求項７に記載の移動端末の表示構造。
【請求項９】
前記ディスプレイスクリーンは、画像を表示するための表示領域と、前記表示領域の周囲側に沿って折り曲げられて延在する封止領域とを有し、
前記端末ケースでの前記表示領域の投影と前記ケースでの前記タッチ領域の投影とのそれぞれの外縁間の距離が、共に前記拡張領域の厚さと等しいことを特徴とする請求項８に記載の移動端末の表示構造。
【請求項１０】
前記端末ケースでの前記封止領域の投影は、前記端末ケースでの前記表示領域の投影をはみださないことを特徴とする請求項９に記載の移動端末の表示構造。
【請求項１１】
前記端末ケースのエッジには、前記封止領域を収容するための溝が設けられていることを特徴とする請求項１０に記載の移動端末の表示構造。
【請求項１２】
前記ディスプレイスクリーンは、フレキシブル液晶ディスプレイスクリーンであることを特徴とする請求項７に記載の移動端末の表示構造。
【請求項１３】
請求項１乃至１２のうちの何れか一項に記載の表示構造を備えることを特徴とする移動端末。
【発明の詳細な説明】
【技術分野】
【０００１】
本開示は、電子機器の技術分野に関し、特に、ディスプレイスクリーンを有する移動端末の表示構造及び移動端末に関する。
【背景技術】
【０００２】
電子応用技術の継続的な発展に従って、様々なディスプレイスクリーン付き移動端末、例えば、携帯電話、タブレット、ＰＤＡ (Ｐｅｒｓｏｎａｌ  Ｄｉｇｉｔａｌ  Ａｓｓｉｓｔａｎｔ)などが市販されており、これら移動端末のディスプレイスクリーンの両側には、常に異なるサイズのフレーム（額縁）が存在している。ディスプレイスクリーンのスクリーン対ボディ比（Ｓｃｒｅｅｎ  Ｔｏ  Ｂｏｄｙ  Ｒａｔｉｏ）を高めるために、ディスプレイスクリーンを有する移動端末のフレームを一層狭くし、ひいては、移動端末のディスプレイスクリーンの両側をフレームレス構造とする要望は、ユーザから寄せられている。
【０００３】
しかし、伝統的な表示ユニット技術により、移動端末のフレームレスまたは超狭額縁の発展が制約されている。例えば、従来の移動端末のディスプレイスクリーンのエッジには、配線するための黒色または白色のシルクスクリーン（Ｓｉｌｋ  Ｓｃｒｅｅｎ）幅が設けられ、かつ、ディスプレイスクリーンの周囲には、さらに、一周のフレームが囲まれており、これによって、実際のフレーム幅が２.３ｍｍ以上になった。それゆえ、移動端末の表示領域の視覚的なフレーム幅が広くなってしまい、ユーザのニーズを満たすことができない。
【発明の概要】
【発明が解決しようとする課題】
【０００４】
これに鑑みて、本開示は、移動端末の表示領域のフレーム幅が広いという課題を解決すべく、新型構造の移動端末の表示構造及び移動端末を提供する。
【課題を解決するための手段】
【０００５】
上記目的を達成するために、本開示が採用する技術的な解決手段は下記の通りである。
【０００６】
本開示の実施例の第１の態様によれば、端末ケースと、ディスプレイスクリーン及び前記ディスプレイスクリーン上に貼り合せられたガラスパネルを有する表示ユニットと、を備え、前記ガラスパネルは、タッチ領域、及び、前記タッチ領域の横方向の両側に沿って折り曲げられて延在する拡張領域を有し、前記拡張領域の外面はそれぞれ、前記端末ケースの対応するエッジと共通する面である移動端末の表示構造を提供する。
【０００７】
好ましくは、前記端末ケースでの前記拡張領域の投影は、前記端末ケースでの前記タッチ領域の投影をはみださない。
【０００８】
好ましくは、前記ディスプレイスクリーンは、画像を表示するための表示領域、及び、前記表示領域の周囲側に沿って折り曲げられて延在する封止領域を有し、前記端末ケースでの前記表示領域の投影と前記ケースでの前記タッチ領域の投影とのそれぞれの横方向の両側外縁間の距離が、共に前記拡張領域の厚さと等しい。
【０００９】
好ましくは、前記端末ケースでの前記封止領域の投影は、前記端末ケースでの前記表示領域の投影をはみださない。
【００１０】
好ましくは、前記端末ケースの横方向の両側外縁には、前記封止領域を収容するための溝が設けられている。
【００１１】
好ましくは、前記ディスプレイスクリーンは、フレキシブル液晶ディスプレイスクリーンである。
【００１２】
本開示の実施例の第２の態様によれば、端末ケースと、ディスプレイスクリーン及び前記ディスプレイスクリーン上に貼り合せられたガラスパネルを有する表示ユニットとを備え、前記ガラスパネルは、タッチ領域、及び、前記タッチ領域の周囲側に沿って折り曲げられて延在する拡張領域を有し、前記拡張領域の外面はそれぞれ、前記端末ケースの対応するエッジと共通する面である移動端末の表示構造を提供する。
【００１３】
好ましくは、前記端末ケースでの前記タッチ領域の投影は、前記端末ケースの外縁と重なっている。
【００１４】
好ましくは、前記ディスプレイスクリーンは、画像を表示するための表示領域、及び、前記表示領域の周囲側に沿って折り曲げられて延在する封止領域を有し、前記端末ケースでの前記表示領域の投影と前記ケースでの前記タッチ領域の投影とのそれぞれの外縁間の距離が、共に前記拡張領域の厚さと等しい。
【００１５】
好ましくは、前記端末ケースでの前記封止領域の投影は、前記端末ケースでの前記表示領域の投影をはみださない。
【００１６】
好ましくは、前記端末ケースのエッジには、前記封止領域を収容するための溝が設けられている。
【００１７】
好ましくは、前記ディスプレイスクリーンは、フレキシブル液晶ディスプレイスクリーンである。
【００１８】
本開示の実施例の第３の態様によれば、第１の態様及び第２の態様の何れかに記載の表示構造を備える移動端末を提供する。
【発明の効果】
【００１９】
本開示の実施例で提供される技術的な解決手段は、下記の格別な効果を含むことができる。本開示の移動端末の表示構造は、少なくともガラスパネルを正面全体の横方向の両側に覆い、かつ、少なくともディスプレイスクリーンの横方向の両側の封止領域をケース内に折り曲げて延在させ、端末ケースによりディスプレイスクリーンの横方向の両側の封止領域を遮蔽することで、スクリーン対ボディ比を大きくすると共に、移動端末の表示構造の視覚的なフレームレス設計を確実に実現させる。
【００２０】
上述した一般的な記述及び後述する具体的な記述は、単に例示的及び解釈的なものであり、本開示を制限することができないと理解されるべきである。
【図面の簡単な説明】
【００２１】
ここでの図面は、明細書と合わせて本明細書の一部を構成し、本開示に適する実施例を示し、かつ、明細書と一緒に本開示の仕組みを解釈するために用いられる。
【図１】一実施例による移動端末の表示構造を示す全体構造模式図である。
【図２】一実施例による一部断面模式図である。
【図３】別の実施例による移動端末の表示構造を示す全体構造模式図である。
【図４】別の実施例による一部断面模式図である。
【発明を実施するための形態】
【００２２】
次に、図に示す実施形態を用いて、本開示を詳細に説明する。しかし、これら実施形態は、本開示を限定するものではなく、これら実施形態に基づく、当業者による構造、方法、または機能上の変更は、何れも本開示の保護範囲に含まれる。
【００２３】
本開示で使用される用語は、単に特定の実施例を記述するためのものに過ぎず、本開示を限定するものではなない。本開示及び添付される特許請求の範囲で使用される単数形「一種」、「前記」、及び「当該」も、他の意味を表すと明らかに記載しない限り、複数形を含む。さらに、この文章で使用される用語「及び／又は」とは、１つまたは複数の関連列挙項目の任意または全ての可能な組合せを含むことである、と理解されるべきである。
【００２４】
本開示では、用語である第１、第２などを用いて各種情報を記述する可能性があるが、これらの情報はこれらの用語に限定されない、と理解されるべきである。これらの用語は、単に同一種類の情報を互いに分けるためのものに過ぎない。例えば、本開示の範囲を逸脱しない場合、第１情報は第２情報と称されてもよく、類似的に、第２情報は第１情報と称されてもよい。言語環境によって、例えば、ここで使用される言葉「若し」は、「…ときに」または「…際に」または「…に応答して確定する」と解釈されてもよい。
【００２５】
図１及び図２に示すように、図１は、一実施例による移動端末の表示構造を示す全体構造模式図であり、図２は、一実施例による一部断面模式図である。本開示の移動端末の表示構造１は、新型の表示ユニット構造を設計することにより、移動端末の表示構造１が点灯されるとき、移動端末の表示構造１を正面から視たときの視覚効果としては、全部がディスプレイスクリーン１２１の表示領域１２１１ａであり、少なくとも移動端末の表示構造１両側のケースフレームとディスプレイスクリーン１２１のシルクスクリーンの封止領域１２１２ａが見えないため、本当のフレームレス設計が実現する。ここで、移動端末の表示構造１は、携帯電話、タブレット、ＰＤＡなどであってもよい。
【００２６】
本開示の移動端末の表示構造１は、画像を表示するための表示ユニット１２、及び、当該表示ユニット１２を収容するための端末ケース１１を備える。当該表示ユニット１２は、ディスプレイスクリーン１２１、及び、ディスプレイスクリーン１２１に貼り合せられたガラスパネル１２３を有し、当該ディスプレイスクリーン１２１は、液晶ディスプレイスクリーン（Ｌｉｑｕｉｄ  Ｃｒｙｓｔａｌ  Ｄｉｓｐｌａｙ、ＬＣＤ）であり、さらに、当該ディスプレイスクリーン１２１は、フレキシブル液晶ディスプレイスクリーンである。このような設計とすることで、異なる構造への取り付けに適応するように、ディスプレイスクリーン１２１の形状を変更することができる。好ましくは、表示ユニット１２は、さらに、ガラスパネル１２３をディスプレイスクリーン１２１に貼り合わせるための光学接着剤１２２を有し、当該光学接着剤１２２によれば、ガラスパネル１２３とディスプレイスクリーン１２１とを固定接合させることができるとともに、表示ユニット１２の透視効果にも影響しない。
【００２７】
本開示の一実施例において、ガラスパネル１２３は、タッチ領域１２３１ａ、及び、タッチ領域１２３１ａの横方向の両側（すなわち、ユーザの慣例的な使用過程において、移動端末の表示構造１の正面を基準とする左右両側。以下、横方向の両側と称する）に沿って折り曲げられて延在する拡張領域１２３２ａを有し、当該拡張領域１２３２ａの外面はそれぞれ、端末ケース１１に対応するエッジと共通する面である。ガラスパネル１２３を取付けるとき、ガラスパネル１２３の横方向の両側エッジは、接着剤を介して端末ケース１１に固定されてもよい。タッチ領域１２３１ａと拡張領域１２３２ａとが一体的に成形して設けられ、当該拡張領域１２３２ａの外面を、当該拡張領域１２３２ａが外へ向かう側面とし、このように設けることで、当該拡張領域１２３２ａと端末ケース１１のエッジとを共同でフレーム部を構成し、ユーザは使用過程において移動端末の表示構造１の表示ユニット１２を正面から視ると、フレーム部を構成する端末ケース１１両側が見えず、ユーザに使用過程において極めて大きな視覚効果をもたらす。また、ガラスパネル１２３が端末ケース１１の横方向の両側エッジに延在するため、横方向の両側フレームの束縛がなくなり、ホールディングの手触りが向上する。
【００２８】
さらに、端末ケース１１での拡張領域１２３２ａの投影が端末ケース１１でのタッチ領域１２３１ａの投影をはみださないように設けることで、ディスプレイスクリーン１２１に表示される画像が当該ガラスパネル１２３のタッチ領域１２３１ａを透過してユーザに伝達されるとき、ユーザが観察した移動端末の表示構造１の両側はフレームレス構造と近似する。光がガラスパネル１２３を透過して屈折効果を有し、ガラスパネル１２３の厚さが薄いため、ユーザの使用過程における視覚効果としては、少なくとも移動端末の表示構造１の両側がフレームレス設計である。好ましくは、ユーザが移動端末の表示構造１をホールディングする手触りを向上させるように、該拡張領域１２３２ａが位置する平面とタッチ領域１２３１ａが位置する平面とを互いに垂直とし、拡張領域１２３２ａとタッチ領域１２３１ａとが形成された折り曲げ箇所の外面をアーチ形構造としてもよい。
【００２９】
本開示のディスプレイスクリーン１２１は、画像を表示するための表示領域１２１１ａ、及び、表示領域１２１１ａの周囲側に沿って折り曲げて延在する封止領域１２１２ａを有し、当該封止領域１２１２ａは、ディスプレイスクリーン１２１が配線するための黒色シルクスクリーン部、及び、ディスプレイスクリーン１２１内の液晶を封止するための封止構造などを有する。端末ケース１１での当該表示領域１２１１ａの投影と端末ケース１１でのタッチ領域１２３１ａの投影とのそれぞれの横方向の両側外縁間の距離が、共に拡張領域１２３２ａの厚さと等しく、当該拡張領域１２３２ａの厚さは、拡張領域１２３２ａと封止領域１２１２ａとの対向方向における当該拡張領域１２３２ａのサイズである。簡単に言えば、拡張領域１２３２ａの厚さを無視する時は、ディスプレイスクリーン１２１が移動端末の表示構造１の正面全体の横方向の両側を覆う時であり、このように設けることで、当該移動端末の表示構造１は大きいスクリーン対ボディ比を有し、視覚効果上、フレームレスの効果が確実に実現する。
【００３０】
さらに、端末ケース１１での封止領域１２１２ａの投影が端末ケース１１での表示領域１２１１ａの投影をはみ出さないように設けて、封止領域１２１２ａを表示領域１２１１ａ内に制限することで、封止領域１２１２ａの一部がユーザに見られて本当のフレームレスの効果を実現できないことが回避される。本開示の封止領域１２１２ａと表示領域１２１１ａとが一体的に成形して設けられる。好ましくは、当該封止領域１２１２ａが位置する平面と表示領域１２１１ａが位置する平面とが互いに垂直する。好ましくは、当該端末ケース１１の横方向の両側エッジには、封止領域１２１２ａを収容するための溝１１１が設けられており、当該溝１１１は、ディスプレイスクリーン１２１の封止領域１２１２ａを端末ケース１１上に限定することができ、具体的には、接着固定または係合固定などを採用してもよい。当該端末ケース１１の溝１１１は、当該ディスプレイスクリーン１２１を固定できるだけではなく、最も重要なのは、さらに、当該ディスプレイスクリーン１２１両側の封止領域１２１２ａを隠すことができ、これによって、ユーザに見られるのがディスプレイスクリーン１２１の表示領域１２１１ａであり、ユーザに極めて大きい視覚的な楽しみを与える。
【００３１】
図３及び図４に示すように、本開示の別の実施例において、移動端末の表示構造１は、画像を表示するための表示ユニット１２、及び、当該表示ユニット１２を収容するための端末ケース１１を有する。当該表示ユニット１２は、ディスプレイスクリーン１２１、及び、ディスプレイスクリーン１２１に貼り合わせられたガラスパネル１２３を有し、当該ディスプレイスクリーン１２１がフレキシブル液晶ディスプレイスクリーン１２１である。ガラスパネル１２３は、タッチ領域１２３１ｂ、及び、タッチ領域１２３１ｂの周囲側に沿って折り曲げて延在する拡張領域１２３２ｂを有し、拡張領域１２３２ｂの外面はそれぞれ、端末ケース１１に対応するエッジと共通する面である。当該ガラスパネル１２３を取り付けるとき、ガラスパネル１２３の周囲側のエッジは、接着剤により端末ケース１１に固定されてもよく、当該タッチ領域１２３１ｂと拡張領域１２３２ｂとが一体的に成形して設けられる。このように設けることで、当該拡張領域１２３２ｂと端末ケース１１のエッジを共同でフレーム部とし、ガラスパネル１２３が移動端末の表示構造１の正面全体を覆い、ユーザが使用過程において移動端末の表示構造１の表示ユニット１２を正面から視るとき、フレーム部を構成する端末ケース１１が見えないため、ユーザに使用過程において極めて大きい視覚的な楽しみを与える。また、ガラスパネル１２３が端末ケース１１の横方向の両側エッジに延在し、移動端末の表示構造１周囲側フレームの束縛がなくなり、ホールディングの手触りが向上する。
【００３２】
さらに、端末ケース１１でのタッチ領域１２３１ｂの投影が端末ケース１１の外縁と重なり、これによって、当該ガラスパネル１２３のタッチ領域１２３１ｂが移動端末の表示構造の正面全体を覆っており、ディスプレイスクリーン１２１の全体が移動端末の表示構造１の正面全体を覆うとき、ディスプレイスクリーン１２１に対する操作制御が図られ、さらに、移動端末の表示構造１のフレームレスというニーズが実現化する。好ましくは、ユーザが移動端末の表示構造１をホールディングする手触りが向上するように、当該拡張領域１２３２ｂが位置する平面とタッチ領域１２３１ｂが位置する平面とを互いに垂直とし、拡張領域１２３２ｂとタッチ領域１２３１ｂとが形成された折り曲げ箇所の外面をアーチ形構造としてもよい。
【００３３】
本開示のディスプレイスクリーン１２１は、画像を表示するための表示領域１２１１ｂ、及び、表示領域１２１１ｂの周囲側に沿って折り曲げて延在する封止領域１２１２ｂを有し、当該封止領域１２１２ｂは、ディスプレイスクリーン１２１が配線するための黒色シルクスクリーン部、及び、ディスプレイスクリーン１２１内の液晶を封止するための封止構造などを有する。端末ケース１１での表示領域１２１１ｂの投影とケースでのタッチ領域１２３１ｂの投影とのそれぞれの外縁間の距離が、共に拡張領域１２３２ｂの厚さと等しく、当該拡張領域１２３２ｂの厚さは、拡張領域１２３２ｂと封止領域１２１２ｂとの対向方向における当該拡張領域１２３２ｂのサイズである。簡単に言えば、拡張領域１２３２ｂの厚さを無視する時は、ディスプレイスクリーン１２１が移動端末の表示構造１の正面全体を覆う時であり、このように設けることで、当該移動端末の表示構造１は大きいスクリーン対ボディ比を有し、視覚効果上フレームレスの効果が確実に実現する。
【００３４】
さらに、端末ケース１１での封止領域１２１２ｂの投影が端末ケース１１での表示領域１２１１ｂの投影をはみ出さないように設けて、封止領域１２１２ｂを表示領域１２１１ｂ内に制限することで、封止領域１２１２ｂの一部がユーザに見られて本当のフレームレスの効果を実現できないことが回避される。本開示の封止領域１２１２ｂと表示領域１２１１ｂとが一体的に成形して設けられる。好ましくは、当該封止領域１２１２ｂが位置する平面と表示領域１２１１ｂが位置する平面とが互いに垂直する。好ましくは、当該端末ケース１１の周囲側のエッジには、封止領域１２１２ｂを収容するための溝１１１が設けられており、当該溝１１１は、ディスプレイスクリーン１２１の封止領域１２１２ｂを端末ケース１１上に限定することができ、具体的には、接着固定または係合固定などを採用してもよい。当該端末ケース１１の溝１１１は、当該ディスプレイスクリーン１２１を固定できるだけではなく、最も重要なのは、さらに、当該ディスプレイスクリーン１２１両側の封止領域１２１２ｂを隠すことができ、これによって、ユーザに見られるのがディスプレイスクリーン１２１の表示領域１２１１ｂであり、ユーザに極めて大きい視覚的な楽しみを与える。
【００３５】
本開示の移動端末の表示構造は、フレキシブルディスプレイスクリーンが採用され、フレキシブルディスプレイスクリーンの封止領域を端末ケースの外縁箇所での溝内に折り曲げて隠し、かつ、必要に応じて、移動端末の表示構造の両側フレームレスまたは全体移動端末の表示構造の正面のフレームレスを実現し、また、ガラスパネルが移動端末の表示構造の正面全体を覆い、当該ガラスパネルを折り曲げて設けかつ端末ケースの外縁と共同で移動端末の表示構造のケースのフレーム部とし、本開示のガラスパネル構造及びディスプレイスクリーンの構造の組合せにより、スクリーン対ボディ比を大きくすると共に、移動端末の表示構造の視覚的フレームレス設計を確実に実現させる。
【００３６】
さらに、本開示は、上記実施例に開示された表示構造を備える移動端末を開示している。
【００３７】
当業者は明細書を考慮し、ここに公開された開示を実践した後、本開示の他の実施案を容易に想到する。本願は、本開示の如何なる変形、用途または適応性の有る変化もカバーすることを意図する。これら変形、用途または適応性の有る変化は、本開示の一般的な仕組みに従い、かつ、本開示に開示されていない当分野における公知常識または慣用技術手段を含む。明細書及び実施例は単なる例示的なものと見なされ、本開示の本当の範囲及び思想は添付の特許請求の範囲によって与えられる。
【００３８】
本開示が、上記した図面に示された精確な構造に限定されるものでなく、その要旨を逸脱しない範囲で様々な補正や変更も可能であることは理解されるべきである。本開示の範囲は、添付する特許請求の範囲のみによって限定される。
【００３９】
本開示は、出願番号が２０１５１０２６３８２１.９、出願日が２０１５年５月２１日である中国特許出願を基に提出するものであり、当該中国特許出願の優先権を主張し、当該中国特許出願の全ての内容は、参照のため本開示に援用される。
【図１】
2017521733.tif 000003
【図２】
2017521733.tif 000004
【図３】
2017521733.tif 000005
【図４】
2017521733.tif 000006
【国際調査報告】
2017521733.tif 000007
2017521733.tif 000008
2017521733.tif 000009
2017521733.tif 000010